(57)【要約】      （修正有）【課題】センサー部を順番に設置して複数箇所の計測データをモニター部で集録して全体の変位を計測する変位計において、計測データ処理順番の誤りを低減した変位計を提供すること。【解決手段】センサー部３とモニター部１と接続線２ａ、２ｂからなる変位計において、電源供給手段７の起動信号兼電源を供給してセンサー部が順次起動するようにして、起動時には後続のセンサー部を開放にした通信をおこない、また、複数のセンサー部がモニター部に計測データを順次送信するようにした。【選択図】図６
2009181435.tif 000002
【特許請求の範囲】
【請求項１】
複数の計測場所に設置して地盤などの変位量を計測するセンサーを有したセンサー部と、
前記複数のセンサー部の計測データを集録して計測領域全体の変位量を判定する計測データ処理手段と前記センサー部へ電源を供給する電源供給手段と計測開始時に操作する操作手段とを有したモニター部と、前記センサー部と前記モニター部の間およびセンサー部とセンサー部の間を接続する電源の接続線と通信の接続線とからなる変位計であって、前記モニター部の前記電源供給手段から供給する起動信号兼電源の受電開始を検出して受電開始信号を出力する受電検出手段と、前記受電検出手段の受電開始信号を入力して受電開始検出時に前記モニター部と通信をおこない計測データを送信するとともに通信終了時に通信終了信号を出力する第１の通信手段と、前記受電検出手段および前記第１の通信手段の信号を入力として前記受電検出手段の出力が受電開始検出時は後続のセンサー部への前記起動信号兼電源の中継を停止し、前記第１の通信手段の通信終了信号入力時は後続のセンサー部への前記起動信号兼電源の中継を開始する電源中継手段とを有したセンサー部と、計測開始時に操作されて計測開始信号を出力する操作手段と、前記操作手段の計測開始信号を入力し計測開始時に前記センサー部に電源を供給する前記電源供給手段と、前記操作手段の計測開始信号の出力を起点に前記センサー部から送信される計測データを受信する第２の通信手段と、前記操作手段の計測開始信号を起点に前記第２の通信手段が受信した計測データを受信の順序に従って順次記憶する受信データ記憶手段と、前記受信データ記憶手段に記憶された計測データの順序をセンサーの設置場所の順列として前記複数の測定場所に設置したセンサー部の全体領域の変位量の処理をおこなう前記計測データ処理手段とを有したモニター部と、前記電源の接続線は前記モニター部を起点に前記センサー部に接続され前記電源中継手段を介して後続のセンサー部に接続し、前記通信の接続線は後続のセンサー部に並列接続する接続線とを備えた変位計。
【請求項２】
前記、モニター部に前記第２の通信手段が順次受信するデータの時間間隔を計時する計時手段を備え予め定めた時間経過後に全体計測終了とした請求項１に記載の変位計。
【請求項３】
前記モニター部に前記センサー部の接続数を登録する接続数登録手段と前記接続数登録手段に登録された登録数と前記受信データ記憶手段に登録された登録数を比較する登録データ確認手段を備え、登録数が一致した時に全体計測終了とした請求項１に記載の変位計。
【請求項４】
前記センサー部の第１の通信手段は受電検出手段の受電開始信号を入力して受電開始検出時に前記モニター部と通信をおこなう時に、受電開始電文を前記モニター部に送信して、モニター部は前記受電開始電文を受信すると、前記センサー部の前記第１の通信手段に設定する相手認識符号（相手アドレス）および自己認識符号（自己アドレス）のアドレスデータ電文を前記センサー部に送信して前記センサー部は受信したアドレスデータ電文から、アドレスデータを第１の通信手段に登録する請求項１から３のいずれか１項に記載の変位計。
【請求項５】
複数の計測場所に設置して地盤などの変位量を計測するセンサーを有したセンサー部と、
前記複数のセンサー部の計測データを集録して計測領域全体の変位量を判定する計測データ処理手段と前記センサー部へ電源を供給する電源供給手段と計測開始時に操作する操作手段とを有したモニター部と、前記センサー部と前記モニター部の間およびセンサー部とセンサー部の間を接続する電源の接続線と通信の接続線とからなる変位計であって、前記モニター部の前記電源供給手段から供給する起動信号兼電源の受電開始を受電検出手段によって検出して受電開始信号を出力するステップと、第１の通信手段が前記受電検出手段の受電開始信号を入力して受電開始検出時に前記モニター部と通信をおこなうステップと、通信終了時に通信終了信号を出力するステップと、
前記受電検出手段および前記第１の通信手段の信号を入力として電源中継手段が前記電源供給手段から供給される起動信号兼電源を前記受電検出手段の出力が受電開始検出時は後接のセンサー部への中継を停止し、前記第１の通信手段の通信終了信号入力時は後接のセンサー部への電源の中継を開始するステップと、
計測開始時に操作される操作手段によって計測開始信号を出力するステップと、
前記操作手段の計測開始信号を入力して前記電源供給手段によって計測開始時に前記センサー部に電源を供給するステップと、
前記操作手段の計測開始信号の出力を起点に第２の通信手段によって前記センサー部から送信された計測データを受信するステップと、
前記操作手段の計測開始信号を起点に前記第２の通信手段が受信した計測データを受信の順序に従って受信データ記憶手段に順次記憶するステップと、
前記受信データ記憶手段に記憶された計測データの順序をセンサーの設置場所の順列として前記複数の測定場所に設置したセンサー部の全体領域の変位量の判定処理を前記計測データ処理手段によっておこなうステップとを備えた変位計のデータ集録方法。
【発明の詳細な説明】
【技術分野】
【０００１】
本発明は、地盤、構造物などの変位量を計測する変位計、およびそのデータ収録方法に関するものである。
【背景技術】
【０００２】
従来、この種の変位計、およびそのデータ集録方法はセンサーと計測処理部を専用の線で接続しているものがある（例えば、特許文献１参照）。図１６は、特許文献１に記載された従来の変位計の回路構成のブロック図を示すものである。
【０００３】
図１６に示すように、距離センサ６０と信号線６４により脱着接続可能なコントローラ６１とで構成され、距離センサの測定値をコントローラ側で情報処理する変位計であって、距離センサ側には距離センサに予め割り当てた距離センサの種類内容を示す識別信号を発生する識別信号発生回路６２を設けて、コントローラ側には識別信号発生回路６２の発生する識別信号により、識別信号を送信する距離センサ６０の種類内容を識別する識別回路６３とから構成されている。
【特許文献１】特開平５−９９６６９号公報
【発明の開示】
【発明が解決しようとする課題】
【０００４】
しかしながら、前記従来の構成では、距離センサとコントローラとの組合せ誤りの検出は、距離センサとコントローラにあらかじめ割り当てた識別信号を識別することにより、運転開始時点において組合せの誤りを検出するようにしたものである。
【０００５】
したがって、運転開始時に接続誤りを検出した時には、設置のやり直し作業がともなうので、完成までの期間制限、あるいは再工事の困難度が高く実質的に再工事ができないなどの条件がともなう場合には、運転開始に至るまでの設置作業の段階から作業誤りを防ぐ何らかの対策が必要になるという課題を有していた。
【０００６】
本発明は、前記従来の課題を解決するもので、複数の計測場所に設置したセンサー部の計測データを集録して、センサー部を設置した計測領域全体の変位を計測するものにおいて、設置段階におけるセンサー部と設置場所との組合せ管理の簡素化、設置作業における人手の介在要素の低減、それらを通じて計測データ処理順番の誤りを低減した変位計を提供することを目的とする。
【課題を解決するための手段】
【０００７】
前記従来の課題を解決するために、本発明の変位計は、複数の計測場所に設置して地盤などの変位量を計測するセンサーを有したセンサー部と、前記複数のセンサー部の計測データを集録して計測領域全体の変位量を判定する計測データ処理手段と前記センサー部へ電源を供給する電源供給手段と計測開始時に操作する操作手段とを有したモニター部と、前記センサー部と前記モニター部の間およびセンサー部とセンサー部の間を接続する電源の接続線と通信の接続線とからなる変位計であって、前記モニター部の前記電源供給手段から供給する起動信号兼電源の受電開始を検出して受電開始信号を出力する受電検出手段と、前記受電検出手段の受電開始信号を入力して受電開始検出時に前記モニター部と通信をおこない計測データを送信するとともに通信終了時に通信終了信号を出力する第１の通信手段と、前記受電検出手段および前記第１の通信手段の信号を入力として前記受電検出手段の出力が受電開始検出時は後続のセンサー部への前記起動信号兼電源の中継を停止し、前記第１の通信手段の通信終了信号入力時は後続のセンサー部への電源の中継を開始する電源中継手段とを有したセンサー部と、計測開始時に操作されて計測開始信号を出力する操作手段と、前記操作手段の計測開始信号を入力し計測開始時に前記センサー部に電源を供給する前記電源供給手段と、前記操作手段の計測開始信号の出力を起点に前記センサー部から送信される計測データを受信する第２の通信手段と、前記操作手段の計測開始信号を起点に前記第２の通信手段が受信した計測データを受信の順序に従って順次記憶する受信データ記憶手段と、前記受信データ記憶手段に記憶された計測データの順序をセンサーの設置場所の順列として前記複数の測定場所に設置したセンサー部の全体領域の変位量の処理をおこなう前記計測データ処理手段とを有したモニター部と、前記電源の接続線は前記モニター部を起点に前記センサー部に接続され前記電源中継手段を介して後続のセンサー部に接続し、前記通信の接続線は後続のセンサー部に並列接続する接続線とを備えたものである。
【０００８】
これによって、計測開始時にモニター部の操作手段が出力する計測開始信号は、電源供給手段に入力されて、電源供給手段はセンサー部に、計測開始信号と電源供給とを兼ねた起動信号兼電源を供給する。
【０００９】
センサー部の受電検出手段が起動信号兼電源の受電開始を検出すると、電源中継手段は後続のセンサー部への起動信号兼電源の中継を停止するようにしている。
【００１０】
これにより、後続のセンサー部は停止状態になり、この状態で第１の通信手段がモニター部に対して通信電文を送出しても、通信回線上には後続のセンサー部の通信が存在しないので、本来、通信に必要な相手認識（相手アドレス）および自己認識（自己アドレス）の認識符号の判別を必要とすることなくモニター部と通信をおこなうことができる。
【００１１】
したがって、設置後のセンサー部の初期立ち上げ時において、通常の通信に必要な相手認識符号（相手アドレス）自己認識符号（自己アドレス）の設定は不要になり、複数設置されるセンサー部は設定作業を必要としないので、他のセンサー部との共用化ができ、通常の通信を使用した場合に必要となるセンサー部と設置場所の組合せ管理が不要となり、設置場所とセンサー部の相対的な設置誤りを無くすことができる。
【００１２】
さらに、センサー部の第１の通信手段から送信される計測データは、モニター部の操作手段の計測開始信号により受信待機状態になっている第２の通信手段を介して受信データ記憶手段に登録される。
【００１３】
そして、第１の通信手段と第２の通信手段の通信が終了すると第１の通信手段が電源中継手段に通信終了信号を送出することにより電源中継手段は、後続のセンサー部に起動信号兼電源の中継を開始して後続のセンサー部を起動して動作状態にすることができる。
【００１４】
後続のセンサー部は、同様に受電検出手段の受電検出により起動して、同様の動作をおこない、順次後続のセンサー部が動作をおこなう。
【００１５】
後続のセンサー部にすでに電源供給をおこなったセンサー部は、継続して電源供給を受けているだけであり、受電の立ち上がりを起動信号として検出する受電検出手段の受電開始信号は出力されないので、通信の動作はおこなわない。
【００１６】
このように受電検出手段と電源中継手段と第１の通信手段と第２の通信手段とで、受電開始を起点に、モニター部とセンサー部の通信を可能にしてセンサー部の接続順番に従った計測データをモニター部の第２の通信手段に送信することが可能になる。
【００１７】
また、センサー部への電源供給は、モニター部の電源供給手段から供給するようにしているので、この電源供給手段からの電源供給開始信号に同期して、モニター部の第２の受信手段は第１の通信手段からの計測データを受信するので、受信される計測データを順次受信データ記憶手段に登録することにより、センサー部の接続順序にしたがった計測データを受信データ記憶手段に収録することができる。
【００１８】
この受信データ記憶手段の登録されたデータの順番で計測データ処理手段がデータ処理をすることにより、計測領域全体の変位量の計測が可能となる。
【００１９】
センサー部の設置作業は、設置場所に順番に設置するだけで、接続順番に従った計測データの集録ができ設置時に人手による接続線とセンサー部の組合せ、設置場所とセンサー部の組合せ管理を必要としない接続順番管理になり計測したデータの処理を順序正しくおこなうことができ、変位量の計測誤りを防止することができる。
【発明の効果】
【００２０】
本発明の変位計は、集録データの信頼性をそこなう施工時点における接続ミスによる計測データの収集誤りを防止することができる。
【００２１】
センサー部の立上げ時に、本来、通信に必要な通信の相手認識、自己認識の認識符号を不要としたので、相手認識、自己認識の認識符号をあらかじめ設定する必要がなくなる。したがって、複数設置するセンサー部の共用化が可能になり、設置場所とセンサー部の組み合わせ指定をなくすことができ、施工時における設定作業のない省施工にして誤り要因を排除することができる。
【００２２】
同時に、センサー部の設置接続順番に従ったセンサー部の順次動作をおこなうようにしたので、接続線とセンサ部の組合せ、設置場所とセンサー部の組合せ管理の誤り要因を排除することができる。データ処理順番の誤りがなく施工時における施工時の設定作業の排除で省施工にして誤り要因をなくすと同時に、センサー部の設置数が増加しても接続線数の増加がなく接続誤りの要因が増えることを防止することができる。
【発明を実施するための最良の形態】
【００２３】
第１の発明は、複数の計測場所に設置して地盤などの変位量を計測するセンサーを有したセンサー部と、前記複数のセンサー部の計測データを集録して計測領域全体の変位量を判定する計測データ処理手段と前記センサー部へ電源を供給する電源供給手段と計測開始時に操作する操作手段とを有したモニター部と、前記センサー部と前記モニター部の間およびセンサー部とセンサー部の間を接続する電源の接続線と通信の接続線とからなる変位計であって、前記モニター部の前記電源供給手段から供給する起動信号兼電源の受電開始を検出して受電開始信号を出力する受電検出手段と、前記受電検出手段の受電開始信号を入力して受電開始検出時に前記モニター部と通信をおこない計測データを送信するとともに通信終了時に通信終了信号を出力する第１の通信手段と、前記受電検出手段および前記第１の通信手段の信号を入力として前記受電検出手段の出力が受電開始検出時は後続のセンサー部への前記起動信号兼電源の中継を停止し、前記第１の通信手段の通信終了信号入力時は後続のセンサー部への電源の中継を開始する電源中継手段とを有したセンサー部と、計測開始時に操作されて計測開始信号を出力する操作手段と、前記操作手段の計測開始信号を入力し計測開始時に前記センサー部に電源を供給する前記電源供給手段と、前記操作手段の計測開始信号の出力を起点に前記センサー部から送信される計測データを受信する第２の通信手段と、前記操作手段の計測開始信号を起点に前記第２の通信手段が受信した計測データを受信の順序に従って順次記憶する受信データ記憶手段と、前記受信データ記憶手段に記憶された計測データの順序をセンサーの設置場所の順列として前記複数の測定場所に設置したセンサー部の全体領域の変位量の処理をおこなう前記データ処理手段とを有したモニター部と、前記電源の接続線は前記モニター部を起点に前記センサー部に接続され前記電源中継手段を介して後続のセンサー部に接続し、前記通信の接続線は後続のセンサー部に並列接続する接続線とを備えることにより、
計測時に、受電検出手段および前記第１の通信手段の信号を入力とした電源中継手段は、受電検出手段の受電開始検出時は電源の中継を停止し、前記第１の通信手段から計測データをモニター部に送信するとともに通信終了時の、通信終了信号が出力された時は後続のセンサー部に電源の中継をおこなうことにより、順次センサー部を動作させることになり、
この動作により設置されているセンサー部の接続順番に従った計測データを順次モニター部に送信することになり、モニター部はこれを受信した順序で順次受信データ記憶手段に登録して計測データ処理手段でデータ処理をおこなうので、接続順番の誤りによる計測データ処理の誤りを防止することができる。
【００２４】
このように、設置時におけるモニター部とセンサー部の接続線数は電源と通信だけであり、接続数が増加しても接続線数の増加がなく、省施工にすると同時にセンサー部と接続線の組合せ、設置場所とセンサー部の組合せの誤りによるデータ処理順番の誤りを防止することができる
また、センサー部の第１の通信手段が計測データを送信する時は、後続のセンサー部の電源供給を停止しているので、一つのセンサー部だけが通信をおこなうことになる。
【００２５】
したがって、第１の通信手段は、一般的に通信に必要とされる通信の相手および自己の認識のための認識符号を必要としないので、現場での認識符号設定や、予め設定した認識符号と設置順番を対応させながら設置する作業がなくセンサー部の共用化ができる。
【００２６】
また、設置時の設定が不要なため、設定誤りや設置場所との組合せ誤りがなくなる。さらに、センサー部への起動信号兼電源の供給は、モニター部から供給するようにしているのでモニター部は、電源供給を起点に受信されるデータを順次受信することにより接続順序にしたがったデータを登録することが可能となる。
【００２７】
複数設置場所のデータの処理は、この登録されたデータの順番で処理することにより、計測領域全体の変位計側が可能になる。また、接続数が増加しても人手による組合せ管理を必要としていないためデータ処理の順番誤りを防止することができる。
【００２８】
第２の発明は、特に第１の発明のモニター部に前記第２の通信手段が順次受信するデータの時間間隔を計時する計時手段を備え予め定めた時間経過後に全体計測終了とすることにより、センサー部が順次動作して最後のセンサー部の処理が終了したことを検出できるので、センサーの接続数が変わっても、終了のための接続数を登録したりする人手を介在することがなく終了を判定することができるので、設置時の立上げ作業を誤りなく効率的に確実におこなえる。
【００２９】
第３の発明は、特に第１の発明のモニター部に前記センサー部の接続数を登録する接続数登録手段と前記接続数登録手段に登録された登録数と前記受信データ記憶手段に登録された登録数を比較する登録データ確認手段を備え、登録数が一致した時に全体計測終了とすることにより、接続線の施工時の断線や接触不良などによるトラブルがあっても、異常を判定することができ確実な立上げをおこなうことができる。
【００３０】
第４の発明は、特に第１の発明のセンサー部の受電検出手段の受電開始信号を入力して受電開始検出時に前記モニター部と通信をおこなう時に、前記センサー部は受電開始電文をモニター部に送信して、モニター部は受電開始電文を受信すると、センサー部の第１の通信手段に設定する相手認識符号（相手アドレス）および自己認識符号（自己アドレス）のアドレスデータ電文をセンサー部に送信してセンサー部は受信したアドレス電文から、アドレスデータを第１の通信手段に登録するようにすることにより、モニター部から特定の相手に対する計測データの再送要求、アドレス変更、一斉同報などにより随時の計測データ収集などができる。
【００３１】
第５の発明は、複数の計測場所に設置して地盤などの変位量を計測するセンサーを有したセンサー部と、前記複数のセンサー部の計測データを集録して計測領域全体の変位量を判定する計測データ処理手段と前記センサー部へ電源を供給する電源供給手段と計測開始時に操作する操作手段とを有したモニター部と、前記センサー部と前記モニター部の間およびセンサー部とセンサー部の間を接続する電源の接続線と通信の接続線とからなる変位計であって、前記モニター部の前記電源供給手段から供給する起動信号兼電源の受電開始を受電検出手段によって検出して受電開始信号を出力するステップと、第１の通信手段が前記受電検出手段の受電開始信号を入力して受電開始検出時に前記モニター部と通信をおこなうステップと、通信終了時に通信終了信号を出力するステップと、前記受電検出手段および前記第１の通信手段の信号を入力として電源中継手段が前記電源供給手段から供給される起動信号兼電源を前記受電検出手段の出力が受電開始検出時は後接のセンサー部への中継を停止し、前記第１の通信手段の通信終了信号入力時は後接のセンサー部への電源の中継を開始するステップと、計測開始時に操作される操作手段によって計測開始信号を出力するステップと、前記操作手段の計測開始信号を入力して前記電源供給手段によって計測開始時に前記センサー部に電源を供給するステップと、前記操作手段の計測開始信号の出力を起点に第２の通信手段によって前記センサー部から送信された計測データを受信するステップと、前記操作手段の計測開始信号を起点に前記第２の通信手段が受信した計測データを受信の順序に従って受信データ記憶手段に順次記憶するステップと、前記受信データ記憶手段に記憶された計測データの順序をセンサーの設置場所の順列として前記複数の測定場所に設置したセンサー部の全体領域の変位量の判定処理を前記計測データ処理手段によっておこなうステップとを備えた変位計のデータ集録方法である。
本形態で実施できるものである。
【００３２】
以下、本発明の実施の形態について、図面を参照しながら説明する。なお、この実施の形態によって本発明が限定されるものではない。
【００３３】
（実施の形態１）
図１は、本発明の第１の実施の形態１における変位計の地上設置構成図を示すものである。
【００３４】
図１において、センサー部３は、モニター部１を起点に収容部材４に収容されて電源と通信の接続線２で送り配線形式で接続し、複数個地上の構造物に敷設して、構造物の垂直方向の変位量を計測するもので、略水平方向に敷設して垂直方向の変位量を計測するよう構成をしている。
【００３５】
図２は、本発明の第１の実施の形態における変位計の地上設置系統図を示すものである。
【００３６】
図２において、センサー部３は、モニター部１を起点に電源と通信の接続線２で送り配線形式で接続し、複数個地上の構造物に敷設して、垂直方向の変位量を計測するもので、水平方向に敷設して垂直方向の変位量を計測するよう構成をしている。
【００３７】
図３は、本発明の第１の実施の形態における変位計の埋設設置構成図を示すものである。
【００３８】
図３において、センサー部３は、モニター部１を起点に電源と通信の接続線２で送り配線形式で接続し、センサー部３を地盤に垂直方向に埋設して水平方向の変位量を計測するよう構成をしている。
【００３９】
図４は、本発明の第１の実施の形態における変位計の埋設設置系統図を示すものである。
【００４０】
図４において、センサー部３は、複数個地盤に埋設して、地盤の水平方向の変位量を計測するもので、垂直方向に埋設した構成をしている。
【００４１】
図５は、本発明の第１の実施の形態１における変位計の接続系統図を示すものである。
【００４２】
図５において、センサー５を有したセンサー部３は、接続線２を介して送り配線形態で接続する構成としている。
【００４３】
図６は、本発明の実施の形態１における変位計のブロック図を示すものである。
【００４４】
図６において、操作手段６は、受信データ記憶手段１２と電源供給手段７および第２の通信手段１１に計測開始信号を出力して、操作手段６が操作された時点を起点にして計測を開始するようにしている。
【００４５】
電源供給手段７は、操作手段６から計測開始信号が入力されるとセンサー部３へ起動信号兼電源を供給してセンサー部３を起動するとともに電源を供給するようにしている。
【００４６】
第２の通信手段１１は操作手段６から計測開始信号が入力されるとセンサー部３の第１の通信手段１０から順次送信されるセンサー部の接続順序に従ったデータを受信してモニター部１の受信データ記憶手段１２に登録する。
【００４７】
計測データ処理手段１３は、受信データ記憶手段１２の受信データの順序をもとに計測領域全体の変位の計測をおこなうようにしている。
【００４８】
センサー部３の受電検出手段８はモニター部１の電源供給手段７から起動信号兼電源が供給されると、受電検出手段８が受電開始を検出して受電開始信号を第１の通信手段１０および電源中継手段９に受電開始信号を入力する。
【００４９】
電源中継手段９は受電検出手段８からの受電開始信号を入力として、その信号が入力されると後続のセンサー部１４（２台目のセンサー部）へ起動信号兼電源の中継を開始するようにしている。
【００５０】
第１の通信手段１０は受電検出手段８の受電開始信号を入力すると、モニター部１の第２の通信手段１１と通信をおこない、センサー部３のセンサー５の計測データをモニター部１の第２の通信手段に送信するようにしている。
【００５１】
センサー部３の第１の通信手段１０とモニター部１の第２の通信手段１１との間の通信が終了すると、第１の通信手段１０から通信終了信号を電源中継手段９へ出力することにより、電源中継手段９は、後続のセンサー部１４（２台目のセンサー部）に起動信号兼電源の中継を開始して、後続のセンサー部１４（２台目のセンサー部）は、同様な動作をおこないモニター部１に計測データを送出することができる。そして、さらに後接続のセンサー部が順次動作するように構成している。
【００５２】
以上のように、構成された変位計について、以下その動作、作用を図７から図１５を使用して説明する。
【００５３】
まず、図７は、本発明の実施の形態１におけるセンサー部とモニター部の動作を説明するタイミングチャートを示すものである。
【００５４】
図７において、計測開始時のＴ１の時点でモニター部の操作手段６を操作すると、操作手段６は計測開始信号Ｓ１を受信データ記憶手段１２と電源供給手段７および第２の通信手段１１に出力する。
【００５５】
この計測開始信号Ｓ１により、受信データ記憶手段１２と電源供給手段７および第２の通信手段１１は、それぞれ計測開始において同期をとった動作を開始することができる。
【００５６】
この動作開始を起点に、電源供給手段７から供給する起動信号兼電源供給Ｓ２は、センサー部３に供給して、受電検出手段８で受電開始の検出をおこない受電検出手段８から受電開始信号Ｓ３を電源中継手段９および第１の通信手段１０に出力する。
【００５７】
電源中継手段９は後続のセンサー部１４（２番目のセンサー部）への起動信号兼電源供給の中継を停止することにより、後続のセンサー部１４（２番目のセンサー部）以降の後続のセンサー部の通信機能は停止され、通信線上の通信信号はセンサー部３とモニター部１だけが占有した通信環境になる。
【００５８】
この通信環境により、通信に必要な相手認識符号（相手アドレス）、自己認識符号（自己アドレス）の認識を必要とすることなく、モニター部１とセンサー部３の通信Ｓ４が可能になり、センサー部３は、計測場所に施工、設置する時にあらかじめ認識符号などの設定を不要とすることができる。
【００５９】
センサー部３の第１の通信手段１０から送信するデータを受信したモニター部１の第２の通信手段１１は、受信した受信データＳ５を受信データ記憶手段１２に登録する。
【００６０】
センサー部３の第１の通信手段１０とモニター部１の第２の通信手段１１との間の通信Ｓ４が終了すると第１の通信手段１０から電源中継手段９に通信終了信号Ｓ６を送信する。
【００６１】
電源中継手段９は通信終了信号Ｓ６を受信すると、後続のセンサー部１４（２台目のセンサー部）に起動信号兼電源の中継を開始して、起動信号兼電源供給Ｓ７の中継をおこなう。
【００６２】
センサー部１４（２台目のセンサー部）は、起動信号兼電源供給Ｓ７を受電する。
受電した後の動作は、センサー部３と同様の動作をおこない計測データをモニター部１に登録することができる。
【００６３】
さらにセンサー部１４は、後続のセンサー部に起動信号兼電源を中継していくので、起動したセンサー部が順次計測データを接続の順序でモニター部に送信することができる。
【００６４】
このようにセンサー部３、センサー部３の次にはセンサー部１４、さらにセンサー部１４の後続のセンサー部へと接続の順序にしたがって順次、計測データをモニター部１に送信するので、モニター部の受信データ記憶手段１２に記憶された受信データはセンサー部３の接続順番にしたがったデータとなる。
【００６５】
図８は、本発明の実施の形態１におけるセンサー部の動作を説明するフローチャートを示すものである。
【００６６】
図８において、センサー部の順次起動は、モニター部１の電源供給手段７から供給される起動信号兼電源の受電開始を受電検出手段８によって検出して受電開始信号を出力するステップ１０２と、受電検出手段８の受電開始信号を入力した電源中継手段９は、電源供給手段７から供給される起動信号兼電源を後続のセンサー部１４（２台目のセンサー部）への中継を停止するステップ１０３と、受電検出手段８の受電開始信号を入力した第１の通信手段１０はモニター部１と通信をおこない計測データを送信するステップ１０４と、第１の通信手段１０と第２の通信手段１１の間の通信終了時には、受電検出手段８および第１の通信手段１０の信号を入力とした電源中継手段９に第１の通信手段１０から通信終了信号を出力すするステップ１０５と、電源供給手段７から供給する起動信号兼電源の後続のセンサー部１４（２台目のセンサー部）への中継を開始して、後続のセンサー部１４（２台目のセンサー部）の起動と電源供給をおこなうステップ１０６とで構成している。
【００６７】
モニター部１の電源供給手段７から供給する電源の受電開始を受電検出手段８によって検出して受電開始信号を出力するステップ１０２により、受電開始の時のみ受電開始信号を出力するようにしているので、受電開始の時だけ電源中継手段および第１の通信手段に受電開始信号を出力することになる。
【００６８】
受電検出手段８の受電開始信号を入力した電源中継手段９はステップ１０３により、電源供給手段７から供給される起動信号兼電源を後接のセンサー部への中継を停止することができる。
【００６９】
後続のセンサー部１４（２番目のセンサー部）への起動信号兼電源供給の中継を停止することにより、後続のセンサー部１４（２番目のセンサー部）以降の後続のセンサー部の通信機能が停止され、通信線上の通信信号はセンサー部３とモニター部１だけが占有した通信環境になっている。
【００７０】
この通信環境により、通信に必要な相手認識符号（相手アドレス）、自己認識符号（自己アドレス）の認識を必要とすることなく、受電検出手段８の受電開始信号を入力した第１の通信手段はステップ１０４によりモニター部１と通信をおこない計測データを送信することができる。
【００７１】
第１の通信手段１０と第２の通信手段１１の間の通信終了時には、ステップ１０５により、受電検出手段８および第１の通信手段１０の信号を入力とした電源中継手段９に第１の通信手段１０から通信終了信号を出力することにより、ステップ１０６の電源供給手段７から供給する起動信号兼電源の後続のセンサー部１４（２台目のセンサー部）への中継を開始して、後続のセンサー部１４（２台目のセンサー部）の起動と電源供給をおこなうことができる。
【００７２】
図９は、本発明の実施の形態１におけるモニター部の動作を説明するフローチャートを示すものである。
【００７３】
モニター部１の順序データ集録は、計測開始時に操作される操作手段６によって計測開始信号を出力するステップ２００と、
操作手段６の計測開始信号を入力して電源供給手段７によって計測開始時に前記センサー部３に電源を供給するステップ２０１と、
操作手段６の計測開始信号の出力を起点に第２の通信手段１１によってセンサー部３から送信された計測データを受信するステップ２０２と、
操作手段１の計測開始信号を起点に前記第２の通信手段１１が受信した計測データを受信の順序に従って受信データ記憶手段１２に順次記憶するステップ２０４と、
受信データ記憶手段１２に記憶された計測データの順序をセンサーの設置場所の順列として前記複数の測地場所に設置したセンサー部の全体領域の変位量の判定処理を計測データ処理手段１３によっておこなうステップとで実現している。
【００７４】
図９において、操作手段６の操作開始の操作ステップ２００により、計測開始信号を出力して電源供給手段から起動信号兼電源を供給開始するステップ２０１によりセンサー部を起動することができる。
【００７５】
さらに第２の通信手段１１を動作させた待機状態にするステップ２０２により、センサー部の起動と同期をとって第２の通信手段１１を受信の待機状態にすることができる。
【００７６】
この待機状態において、ステップ２０３で第２の通信手段１１がセンサー部の第１の通信手段が送信した計測データを受信するとステップ２０５により受信した計測データを受信データ記憶手段１２に登録する。
【００７７】
設置された複数のセンサー部が全部受信されていない時は、ステップ２０６によって後続のセンサー部１４の受信待機状態にする。
【００７８】
さらに、後続のセンサー部１４から計測データが送信されてくると、センサー部３の処理と同様な処理をおこない受信データ記憶手段１２に順次記憶していくことができる。
【００７９】
そして、設置された複数のセンサー部が全部受信されると、計測データ処理手段１３にてセンサー部の接続順番と同じ順列に記憶されたデータ記憶手段１２のデータをもとに複数のセンサー部が設置された計測領域全体の変位量を把握することができる。
【００８０】
図１０は、本発明の実施の形態１における通信手順を説明する図を示すものである。
【００８１】
図１０において、センサー部の第１の通信手段から計測データ電文を送信（Ｓ３００）し、モニター部１の第２の通信手段１１が計測データ電文を受信する（Ｓ３０１）と、第２の通信手段１１から受信確認応答電文を送信（Ｓ３０２）する。
【００８２】
第１の通信手段１０が受信確認応答電文を受信（Ｓ３０３）すると、モニター部３とセンサー部３との間の通信は終了する。
【００８３】
図１１は、本発明の実施の形態１における第１の通信手段の電文形式を説明する図を示すものである。
【００８４】
図１１において、計測データ電文は、相手符号（相手アドレス）、自己符号（自己アドレス）、情報符号、データから構成され、受電開始検出時の通信環境は、モニター部とセンサー部の１台のみにしているため、相手符号、自己符号は無視するか、構成しないようにしても良い。
【００８５】
受信確認応答電文も、同様な構成でも良いし、任意の肯定電文（正常受信電文）を構成すれば良い。
【００８６】
通常の通信に使用される誤り訂正符号などは任意に付加すれば良い。
【００８７】
図１２は、本発明の実施の形態１における受信データ記憶手段１２の記憶内容を説明する図を示すものである。
【００８８】
図１２において、第２の受信手段で受信された受信データは、受信された順番に順次、計測データ欄に記憶していくだけで、計測データ集計順番に対応することになる。この計測データ集計順番がそのままセンサー部の接続順番となる。
【００８９】
計測データ処理手段１３は、受信データ記憶手段１２に登録された計測データ集録順番に従って処理するだけでセンサー部の接続順番を正しく把握した計測データの処理をおこなうことができる。
【００９０】
以上のように、本実施の形態では、送り配線形態で接続したモニター部１とセンサー部３を通信線と電源線で接続して、モニター部１からセンサー部３への起動信号によりセンサー部３を起動して、起動されたセンサー部３は、後続のセンサー部への起動信号を停止して動作を停止させることにより通信線をモニター部とセンサー部の１台で占有することができる。
【００９１】
したがって、相互の認識符号を必要としない通信環境にして、計測データをセンサー部３からモニター部１に送信することによりセンサー部の認識符号などの設定作業がなくなるので、数数のセンサー部を共用化することができる。
【００９２】
さらに通信終了後に後続のセンサー部に起動信号を送信するようにして、センサー部を順次動作させ、モニター部では受信データを順次記憶して計測データ処理を受信データ記憶手段の登録データの順番で処理することにより、人手を介さずに計測データの処理ができ接続誤り、処理の順序誤り、センサー部と設置場所の組合せの誤りを防止することができる。
【００９３】
また、実施の形態１では、モニター部１からセンサー部３に起動信号兼電源を供給するようにしているが、起動信号を単独で供給することにより、センサー部３の電源を分離することもでき、同様の効果を得ることができる。
【００９４】
さらに、通信信号に間欠起動信号を付加することにより通信線のみの起動も可能になり、センサー部３の電源を別設にすることにより、センサー部３とモニター部１の接続線を通信のみにすることも可能であり、同様の効果を得ることができる。
【００９５】
図１３は、本発明の実施の形態１における変位計にさらに全体計測終了を判断する計時手段を備えたブロック図を示すものである。
【００９６】
図１３において、計時手段２０は、操作手段６の計測開始信号を入力すると第２の通信手段１１がセンサー部３から受信されるセンサー部毎の受信間隔を計時して、予め定めた時間間隔を経過したら設置された複数センサーの全体計測終了として、受信データ記憶手段１２、計測データ処理手段１３、第２の通信手段１１に全体計測終了信号を出力して、次の計測開始信号を待つ待機状態にすることができる。
【００９７】
したがって、センサー部が順次動作して最後のセンサー部の処理が終了したことを検出できるので、センサーの接続数が変わっても、終了のための接続数を登録したりする人手を介在することがなく終了を判定することができるので、設置時の立上げ作業を誤りなく効率的に確実におこなえる。
【００９８】
図１４は、本発明の実施の形態１における変位計にさらに全体計測終了を判断する登録データ確認手段を備えたブロック図を示すものである。
【００９９】
図１４において、登録データ確認手段４０は、操作手段６からの計測開始信号により、接続数登録手段３０の登録数と受信データ記憶手段１２の受信データ登録数を比較することにより、設置された複数センサーの全体計測終了を判定して、受信データ記憶手段１２、計測データ処理手段１３、第２の通信手段１１に全体計測終了信号を出力して、次の計測開始信号を待つ待機状態にすることができる。
【０１００】
したがって、接続線の施工時の断線や接触不良などによる異常があっても、異常を判定することができ確実な立上げをおこなうことができる。
【０１０１】
図１５は、本発明の実施の形態１における変位計にさらに認識符号を付与する通信手順を備えたものを説明するフローチャートである。受電検出手段８の受電開始の時にセンサー部３の第１の通信手順１０から受電開始電文を第２の通信手段１１に送信し（Ｓ４００）、第２の通信手段１１から弟１の通信手段１０に対してアドレス付与をおこなうようにしたものである（S４０２）。第１の通信手段にアドレスを付与することによりモニター部１からセンサー部３に対して随時、計測データの集録をおこなうことができる。
【０１０２】
また、受電開始後の後続センサー部への起動信号兼電源の供給を停止している状態でアドレス付与をおこなうようにしているので、センサー部を設置する時点では、アドレスによる設置条件の規制などは発生しない。
【産業上の利用可能性】
【０１０３】
以上のように、本発明にかかる変位計は、複数の各種変位センサーによりデータを収集する管理計測等に多岐にわたって適用できる。
【図面の簡単な説明】
【０１０４】
【図１】本発明の実施の形態１における変位計の地上設置構成図
【図２】本発明の実施の形態１における変位計の地上設置系統図
【図３】本発明の実施の形態１における変位計の埋設設置構成図
【図４】本発明の実施の形態１における変位計の埋設設置系統図
【図５】本発明の実施の形態１における変位計の接続系統図
【図６】本発明の実施の形態１における変位計のブロック図
【図７】本発明の実施の形態１におけるセンサー部とモニター部の動作を説明するタイミングチャート
【図８】本発明の実施の形態１におけるセンサー部の動作を説明するフローチャート
【図９】本発明の実施の形態１におけるモニター部の動作を説明するフローチャート
【図１０】本発明の実施の形態１における通信手順を説明する図
【図１１】本発明の実施の形態１における第１の通信手段の電文形式を説明する図
【図１２】本発明の実施の形態１における受信データ記憶手段の記憶内容を説明する図
【図１３】本発明の実施の形態１における変位計にさらに全体計測終了を判断する計時手段を備えたブロック図
【図１４】本発明の実施の形態１における変位計にさらに全体計測終了を判断する登録データ確認手段を備えたブロック図
【図１５】本発明の実施の形態１における変位計にさらに認識符号を付与する通信手順を備えたものを説明するフローチャート
【図１６】従来の変位計の回路構成のブロック図
【符号の説明】
【０１０５】
１  モニター部
２ａ  接続線（通信の接続線）
２ｂ  接続線（電源の接続線）
３  センサー部
５  センサー
６  操作手段
７  電源供給手段
８  受電検出手段
９  電源中継手段
１０  第１の通信手段
１１  第２の通信手段
１２  受信データ記憶手段
１３  計測データ処理手段
１４  ２台目のセンサー部（後続のセンサー部）
【図１】
2009181435.tif 000003
【図２】
2009181435.tif 000004
【図３】
2009181435.tif 000005
【図４】
2009181435.tif 000006
【図５】
2009181435.tif 000007
【図６】
2009181435.tif 000008
【図７】
2009181435.tif 000009
【図８】
2009181435.tif 000010
【図９】
2009181435.tif 000011
【図１０】
2009181435.tif 000012
【図１１】
2009181435.tif 000013
【図１２】
2009181435.tif 000014
【図１３】
2009181435.tif 000015
【図１４】
2009181435.tif 000016
【図１５】
2009181435.tif 000017
【図１６】
2009181435.tif 000018